(57)【要約】【課題】広い範囲（弱電力から強電力まで）の信号電力に対して、良好に受信できるようにする。【解決手段】放送受信装置を設置して最初に行うチャンネルサーチにおいて、アッテネータＡＴＴ５側、アンプＡｍｐ７側のそれぞれに切り替えておいて、受信状態情報（ＡＧＣ、ＢＥＲ、Ｃ／Ｎ）を取得し、それぞれにおける受信可能なチャンネル数をカウントするための受信可能カウンタ３２ａを設け、受信状態情報検出手段３１からの受信状態情報に基づいて、正常に映像・音声が受信可能であるか否かを判定し、正常に受信可能であると判定した場合、アッテネータ側あるいはアンプ側の受信可能カウンタ３２ａを１つカウントアップし、より多くのチャンネルが正常に受信可能となる方へ固定し、受信可能カウンタ３２ａが同数の場合、他方よりＣ／Ｎが優位となる受信可能チャンネルをＣ／Ｎ優位カウンタ部３２ｂでカウントし、Ｃ／Ｎが優位となるチャンネルが多いほうへ固定する。【選択図】図１Ａ
2010232985.tif 000002
【特許請求の範囲】
【請求項１】
アンテナとチューナとの間に、チューナに入力する信号電力を増幅及び減衰させる信号電力増減部を有するテレビジョン受信装置であって、
前記信号電力増減部は、増幅器と減衰器とを切り替えるスイッチ部を有し、
チャンネルサーチにおいて、前記増幅側と前記減衰側の受信可能なチャンネルが多い方に前記スイッチを固定し、
受信可能なチャンネルが前記増幅側と前記減衰側で同数の場合、受信状態が優位となる受信可能チャンネルが多い方に前記スイッチを固定することを特徴とするテレビジョン受信装置。
【請求項２】
アンテナとチューナとの間に、チューナに入力する信号電力を増幅及び減衰させる信号電力増減部を有するテレビジョン受信装置であって、
チューナからの出力信号に基づいて、ＡＧＣと、Ｃ／Ｎと、ＢＥＲと、を検出する受信状態検出部と、
該受信状態検出部の検出結果に基づいて、当該チャンネルの信号が正常に受信可能か否かを判定し、その判定結果に応じて、前記信号電力増減部における前記信号電力の増幅又は減衰のフィードバック制御を行う制御部とを有し、
前記信号電力増減部は、増幅器と減衰器とを切り替えるスイッチ部を有し、
チャンネルサーチにおいて、前記受信状態検出部において検出した受信状態情報から、前記減衰側と前記増幅側とのそれぞれにおいて受信可能なチャンネル数をカウントするための受信可能カウンタ部と、受信可能なチャンネルのうち前記減衰側と前記増幅側とのそれぞれにおいてＣ／Ｎが優位となるチャンネル数をカウントするためのＣ／Ｎ優位カウンタ部とを設け、
前記受信状態情報に基づいて、それぞれのチャンネルが正常に受信可能であるか否かを判定し、正常に受信可能であると判定された場合に、前記減衰側あるいは前記増幅側のいずれかの該当する受信可能カウンタをカウントアップし、
チャンネルサーチ終了時に、それぞれの受信可能カウンタ値を比較して、より多くのチャンネルが正常に受信可能となる方へ前記スイッチを固定し、受信可能カウンタ値が同数であった場合には、記憶手段へ記憶した受信状態情報から、受信可能な各チャンネルにおいて、減衰側、増幅側のうち、どちらがＣ／Ｎが高くなるかを判定し、減衰側の方がＣ／Ｎが高くなると判定した場合には減衰側のＣ／Ｎ優位カウンタをカウントアップし、増幅側の方がＣ／Ｎが高くなると判定した場合には増幅側のＣ／Ｎ優位カウンタをカウントアップし、それぞれのＣ／Ｎ優位カウンタ値を比較して、より多くのチャンネルでＣ／Ｎが高くなる方へ前記スイッチを固定することを特徴とするテレビジョン受信装置。
【請求項３】
チャンネルサーチにおいて、前記スイッチ部を前記増幅側で受信したとき、前記受信状態検出部の検出結果により「正常に受信可能でない」と判断され、かつ、前記ＡＧＣの値より「強電力ではない」と判断された場合のみ、前記減衰側に切替えずに次のチャンネルに進むようにすることを特徴とする請求項２に記載のテレビジョン受信装置。
【請求項４】
前記テレビジョン受信装置は第１及び第２の少なくとも２以上のチューナを有する構成であり、前記チューナへの信号を分配するスプリッタ部に、アンプとアッテネータとが設けている構成を有していることを特徴とする請求項２または３に記載のテレビジョン受信装置。
【請求項５】
前記増幅側でチャンネルサーチを行い、各チャンネルで前記受信状態情報を取得および記憶手段へ記憶し、正常に受信可能であれば前記アンプ側受信可能カウンタをカウントアップし、「正常に受信可能でない」と判断され、かつ、ＡＧＣの値より強電力であると判断された信号が少なくとも１チャンネル発生した場合に、“１”がたてられる再サーチフ
ラグを記憶するフラグ記憶部を有し、
前記増幅側でのチャンネルサーチ完了後に、前記フラグ記憶部における前記再サーチフラグが“１”であれば、前記減衰側に切替えて同様のチャンネルサーチを行い、チャンネルサーチ終了後に、それぞれの受信可能カウンタ値を比較して、より多くのチャンネルが正常に受信可能となる方へ前記スイッチを固定し、
受信可能カウンタ値が同数であった場合には、記憶手段へ記憶した受信状態情報から、受信可能な各チャンネルにおいて、減衰側、増幅側のうち、どちらがＣ／Ｎが高くなるかを判定し、減衰側の方がＣ／Ｎが高くなると判定した場合には減衰側のＣ／Ｎ優位カウンタをカウントアップし、増幅側の方がＣ／Ｎが高くなると判定した場合には増幅側のＣ／Ｎ優位カウンタをカウントアップし、より多くのチャンネルでＣ／Ｎが高くなる方へ前記スイッチを固定することを特徴とする請求項２から４までのいずれかに記載のテレビジョン受信装置。
【発明の詳細な説明】
【技術分野】
【０００１】
本発明は、放送受信装置に関し、特に、放送波を良好に受信可能な放送受信技術に関する。
【背景技術】
【０００２】
アンテナにより放送波を受信する放送受信装置においてゲイン制御を行う方法としては、例えば、図６に記載の方法が知られている。図６は、一般的なチューナを含む受信装置のチューナ部を中心とした一部構成例を示す機能ブロック図である。図６に示すように、アンテナ１０１から得られるＲＦ入力は、チューナ部１０８のプリアンプ１１０、ＢＰＦ１１１、ＲＦＶＧＡ１１２、ミキサ１１３、ＢＰＦ１１５、ＩＦアンプ１１６を介して復調回路に出力される。ミキサ１１３には発振器（ＯＳＣ）１１４が設けられている。また、ＩＦアンプ１１６からの出力は、レベル検波器１２５にも入り、電圧制御手段１２６を介してＲＦＶＧＡ１１２にフィードバックされる。
【０００３】
また、下記特許文献１に記載の技術も知られている。この技術では、整合回路によって周波数同調が調整可能なアンテナと、上記アンテナで受信された高周波信号を増幅および周波数変換する高周波回路と、高周波回路から出力されたアナログ受信信号をデジタル信号に変換するデジタル処理部と、同調制御信号を上記整合回路に供給して上記アンテナの周波数同調を制御するＣＰＵとを備えた受信システムにおいて、受信信号の電力または振幅情報をもとにアンテナのゲイン制御信号を生成し、このゲイン制御信号を上記同調制御信号に加算する。
【先行技術文献】
【特許文献】
【０００４】
【特許文献１】特開２００４−３６３８５４号公報
【発明の概要】
【発明が解決しようとする課題】
【０００５】
しかしながら、上記特許文献１に記載の技術では、ゲイン制御信号により、ある程度の電力範囲の信号に対しては受信可能となるが、非常に強い電力、非常に弱い電力の信号に関する対策は施されていない。
【０００６】
本発明は、受信装置において、広い範囲（弱電力から強電力まで）の信号電力に対して、良好に受信できるようにすることを目的とする。
【課題を解決するための手段】
【０００７】
本発明の一観点によれば、アンテナとチューナとの間に、チューナに入力する信号電力を増幅及び減衰させる信号電力増減部を有するテレビジョン受信装置であって、前記信号電力増減部は、増幅器と減衰器とを切り替えるスイッチ部を有し、チャンネルサーチにおいて、前記増幅側と前記減衰側の受信可能なチャンネルが多い方に前記スイッチを固定し、受信可能なチャンネルが前記増幅側と前記減衰側で同数の場合、受信状態が優位となる受信可能チャンネルが多い方に前記スイッチを固定することを特徴とするテレビジョン受信機が提供される。
【０００８】
本発明の他の一観点によれば、アンテナとチューナとの間に、チューナに入力する信号電力を、増幅及び減衰させる信号電力増減部を有するテレビジョン受信装置であって、チューナからの出力信号に基づいて、ＡＧＣと、Ｃ／Ｎと、ＢＥＲと、を検出する受信状態
検出部と、該受信状態検出部の検出結果に基づいて、前記信号電力増減部における前記信号電力の増幅又は減衰のフィードバック制御を行う制御部と、を有することを特徴とするテレビジョン受信装置が提供される。前記信号電力増減部は、増幅器（アンプ）と減衰器（アッテネータ）とを切り替えるスイッチ部を有し、前記制御部は、前記ＡＧＣに基づく電力が弱く、かつ、前記Ｃ／ＮまたはＢＥＲの少なくともいずれかに基づく受信状態が劣化している場合には前記アンプ側に前記スイッチ部を切替えて信号を増幅し、前記電力が強い場合には前記アッテネータ側へ前記スイッチ部を切替えて減衰させることが好ましい。
【０００９】
チャンネルサーチにおいて、前記受信状態検出部において検出した受信状態情報を、前記減衰側と前記増幅側とのそれぞれにおいて受信可能なチャンネル数をカウントするためのカウンタ部を設け、前記受信状態情報に基づいて、それぞれのチャンネルが正常に受信可能であるか否かを判定し、正常に受信可能であると判定された場合に、前記減衰側あるいは前記増幅側のいずれかのカウンタをカウントアップし、チャンネルサーチ終了時に、それぞれのカウンタ値を比較して、より多くのチャンネルが正常に受信可能となる方へ前記スイッチを固定することが好ましい。
【００１０】
チャンネルサーチ完了後、前記受信可能なチャンネルをカウントするためのカウンタ値が前記アンプ側と前記アッテネータ側で同数であった場合は、受信可能な各チャンネルにおいて、アンプ側に設定した場合のＣ／Ｎ値と、アッテネータ側に設定した場合のＣ／Ｎ値とを比較し、アンプ、アッテネータそれぞれでＣ／Ｎ値が優位となる局数をカウントするカウンタを設け、カウンタ値が多いほうへ設定することが好ましい。
【００１１】
前記テレビジョン受信装置は第１及び第２の少なくとも２以上のチューナを有する構成であり、前記チューナへの信号を分配するスプリッタ部に、アンプとアッテネータとが設けられている構成を有していても良い。
【００１２】
チャンネルサーチの実施時は、前記増幅側で「正常に受信可能でない」と判断され、かつ、前記ＡＧＣの値より「強電力ではない」と判断された場合のみ、前記減衰側に切替えずに次のチャンネルに進むようにすることが好ましい。また、前記増幅側でチャンネルサーチを行い、各チャンネルで前記受信状態情報を取得し、正常に受信可能であれば前記アンプ側カウンタをカウントアップし、「正常に受信可能でない」と判断され、かつ、ＡＧＣの値より強電力であると判断された場合に、“１”がたてられる再サーチフラグを記憶するフラグ記憶部を有し、チャンネルサーチ完了後に、前記フラグ記憶部における前記再サーチフラグが“１”であれば、前記増幅側に切替えて処理を継続するようにしても良い。
【発明の効果】
【００１３】
本発明によれば、広い範囲（弱電力から強電力まで）の信号電力に対して、テレビジョン受信装置において放送を良好に受信できるという効果がある。
【図面の簡単な説明】
【００１４】
【図１Ａ】図１Ａは、本発明の第１の実施の形態による放送受信装置の一構成例を示す図である。
【図１Ｂ】図１Ｂは、ダブルチューナ方式の放送受信装置の一構成例を示す図である。
【図２】１チャンネルずつサーチをしながら、ＡｍｐとＡＴＴとのそれぞれに切り替えた場合のそれぞれにおける受信状態情報を取得する処理の詳細に示すフローチャート図である。
【図３】図２とは異なるアルゴリズム、すなわち、１チャンネルずつ、ＡｍｐとＡＴＴのそれぞれの情報を取得しながらサーチする第２の方法に基づく処理の流れを示すフローチャート図である。
【図４】Ａｍｐ側で全チャンネルサーチをした後に、「電力が強いが正常に受信できない信号」を検出した場合に、ＡＴＴ側で再度サーチを行う方法の例を示すフローチャート図である。
【図５】本実施の形態による受信装置における受信可能となる電力範囲を示す図である。
【図６】一般的なチューナを含む受信装置のチューナ部を中心とした一部構成例を示す機能ブロック図である。
【発明を実施するための形態】
【００１５】
以下、本発明の実施の形態による放送受信装置について図面を参照しながら説明を行う。図１Ａは、本発明の第１の実施の形態による放送受信装置の一構成例を示す図である。図１Ａに示すように、本実施の形態による放送受信装置は、アンテナ１と、帯域通過フィルタ（Band Pass Filter）ＢＰＦ３と、アッテネータ（減衰器）ＡＴＴ５とアンプリファイヤ（増幅器）Ａｍｐ７とを択一的に切替ることが可能な切替スイッチ９ａ・９ｂと、それに続くチューナ部８と、チューナ部８からの出力を受けるＩＦ  ＡＧＣ１７、Ａ／Ｄコンバータ１８、復調回路１９、誤り訂正回路（Forward Error Correction）ＦＥＣ２０と、復調回路１９からのＡＧＣ出力を受けるＩＦ  ＡＧＣ回路２７を有し、その出力がＩＦ
ＡＧＣ１７にフィードバックされる。
【００１６】
チューナ部８内には、アンテナ１側から順番に、プリアンプ１０、第１の帯域通過フィルタ（Band Pass Filter）ＢＰＦ１１、ＲＦ（Radio Frequency）用可変利得アンプＲＦ
ＶＧＡ１２、ミキサ１３、第２の帯域通過フィルタ（Band Pass Filter）ＢＰＦ１５、ＩＦ(Intermediate Frequency）アンプ１６が設けられ、その出力がＩＦ  ＡＧＣ１７に入
力される。ＩＦアンプ１６の出力は電圧制御手段２６にも接続され、その出力は、ＲＦＶＧＡ１２にフィードバックされる。ここで、本実施の形態では、ＩＦ  ＡＧＣ２７の出力であるＡＧＣと、復調回路１９にて推定されるＣＮと、ＦＥＣ２０から算出されるビット誤り率（Bit Error Rate）ＢＥＲが、受信状態情報検出手段３１に出力され、制御手段３２との間でデータのやり取りを行う。制御手段３２には受信可能カウンタ３２ａおよびＣ／Ｎ優位カウンタ３２ｂが設けられ、これらのカウンタ値に基づいて切替スイッチ９ａ・９ｂを切り替える。また、カウンタ値などは記憶手段３３に記憶させておくことができる。さらに、記憶手段３３には、受信状態情報検出手段３１からの受信状態情報も記憶させておくことができる。
【００１７】
例えば、放送受信装置を設置して最初に行うチャンネルサーチにおいて、アッテネータＡＴＴ５側、アンプＡｍｐ７側のそれぞれに切り替えておいて、受信状態情報（ＡＧＣ、ＢＥＲ、Ｃ／Ｎ）を取得する。アンプＡｍｐ７、アッテネータＡＴＴ５のそれぞれにおける受信可能なチャンネル数をカウントするための受信可能カウンタ３２ａを設け、受信状態情報検出手段３１からの受信状態情報に基づいて、該当するチャンネルにおいては、正常に映像・音声が受信可能であるか否かを判定し、正常に受信可能であると判定した場合、アッテネータ側あるいはアンプ側のカウンタを１つカウントアップする。チャンネルサーチ終了時に、それぞれのカウンタを比較し、より多くのチャンネルが正常に受信可能となる方へ固定する。例えば、以下のように、チャンネルをスキャンしながらカウントを行っていく。
13ch(Amp)->13ch(ATT)->14ch(Amp)->14ch(ATT)->15ch(Amp)->15ch(ATT)->
【００１８】
また、アンプＡｍｐ７、アッテネータＡＴＴ５が受信可能な各チャンネルにおいて、アンプＡｍｐ７、アッテネータＡＴＴ５のうち、Ｃ／Ｎが高くなる方をカウントするためのＣ／Ｎ優位カウンタ３２ｂを設け、受信可能カウンタ３２ａの値が同数であった場合には
、記憶手段へ記憶した受信状態情報から、受信可能な各チャンネルにおいて、減衰側、増幅側のうち、どちらがＣ／Ｎが高くなるかを判定し、減衰側の方がＣ／Ｎが高くなると判定した場合には減衰側のＣ／Ｎ優位カウンタ３２ｂをカウントアップし、増幅側の方がＣ／Ｎが高くなると判定した場合には増幅側のＣ／Ｎ優位カウンタ３２ｂをカウントアップし、より多くのチャンネルでＣ／Ｎが高くなる方へ前記スイッチを固定する。
【００１９】
（１）図２は、上記処理の流れについてその一例として、１チャンネルずつサーチをしながら、ＡｍｐとＡＴＴとのそれぞれに切り替えた場合のそれぞれにおける受信状態情報を取得する処理を詳細に示すフローチャート図である。図２に示すように、まず、ステップＳ１においてチャンネルサーチが開始され、ステップＳ２において、まず、Ａｍｐ側へ切り替える。この状態で、ステップＳ３においてチューナに周波数を設定（選局）し、ステップＳ３’において同調が成功したか否かを判定する。成功していれば（ＹＥＳ）ステップＳ４に進む。失敗の場合には（ＮＯ）ステップＳ７に進む。
【００２０】
ステップＳ４において、受信状態情報（ＡＧＣ、ＢＥＲ、Ｃ／Ｎ）を取得し、記憶手段３３へ記憶する。次いで、ステップＳ５において、正常受信が可能であるか否かを判定する。例えば、Ｃ／Ｎが２０ｄＢ以上であるか、または、ビタビ復号後、リードソロモン訂正前のＢＥＲが２．０×１０−４以下であれば、受信状態は正常と判断する。正常に受信可能と判断されると（Ｙｅｓ）ステップＳ６に進み、Ａｍｐ側受信可能カウンタに１を加算し、ステップＳ７へ進む。ＮＯの場合には、ステップＳ７に進み、ＡＴＴ側に切替を行う。
【００２１】
次いで、ステップＳ８において受信状態取得処理を行い、ＣＮ、ＢＥＲを取得して記憶手段３３へ記憶し、この値に基づいて、ステップＳ９において正常受信が可能か否かを判定する。ステップＳ９の判定がＹＥＳであれば、ステップＳ１０においてＡＴＴ側受信可能カウンタに１を加算してステップＳ１１に進み、ＮＯであればステップＳ１０をスキップしてステップＳ１１に進む。ステップＳ１１において、サーチが終了（全てのチャンネルをサーチした）か否かを判定し、ＮＯであればステップＳ２に戻り、ＹＥＳであれば、ステップＳ１２に進み、ＡＴＴ側受信可能カウンタのカウント数とＡｍｐ側受信可能カウンタのカウンタ数を比較する。ここで、ＡＴＴカウンタ数＝＝Ａｍｐカウンタ数であれば（Ｙｅｓ）ステップＳ１３に進み、記憶した受信状態情報から、受信可能な各チャンネルでＡｍｐ側とＡＴＴ側のＣ／Ｎ値を比較し、Ａｍｐ側とＡＴＴ側それぞれでＣ／Ｎが優位となるチャンネル数をカウントする「Ｃ／Ｎ優位カウンタ」をカウントアップする。ステップＳ１４にて、Ｃ／Ｎ優位カウンタ値の比較を行い、ＡＴＴ側Ｃ／Ｎ優位カウンタ数＞Ａｍｐ側Ｃ／Ｎ優位カウンタ数であれば（Ｙｅｓ）ステップＳ１５に進みＡＴＴ側にスイッチ９ａ・９ｂを固定し、処理を終了する。一方、ＡＴＴ側Ｃ／Ｎ優位カウンタ数＞Ａｍｐ側Ｃ／Ｎ優位カウンタ数でなければ（Ｎｏ）ステップＳ１６に進み、Ａｍｐ側にスイッチ９ａ・９ｂを固定し、処理を終了する。同数の場合には、Ａｍｐ側に固定する。
【００２２】
ステップＳ１２にて、受信可能カウンタがＡｍｐ側とＡＴＴ側で同数でなかった場合には（Ｎｏ）、ステップＳ１７へ進み、ＡＴＴカウンタ数＞Ａｍｐカウンタ数であれば（Ｙｅｓ）ステップＳ１８に進みＡＴＴ側にスイッチ９ａ・９ｂを固定し、処理を終了する。ＡＴＴカウンタ数＞Ａｍｐカウンタ数でなければ（Ｎｏ）ステップＳ１９に進み、Ａｍｐ側にスイッチ９ａ・９ｂを固定し、処理を終了する。
【００２３】
以上の処理により、１チャンネルずつ、ＡＴＴとＡｍｐとのそれぞれに切り替えた場合における受信状態を取得し、受信可能なチャンネル数がＡＴＴとＡｍｐで同数の場合には、Ｃ／Ｎがより高くなるチャンネル数が多い方に固定することにより、より受信状態が良い方へ設定することができる。
【００２４】
（２）図３は、図２とは異なるアルゴリズム、すなわち、１チャンネルずつ、ＡｍｐとＡＴＴとのそれぞれの情報を取得しながらサーチする第２の方法に基づく処理の流れを示すフローチャート図である。まず、ステップＳ２１においてサーチを開始し、ステップＳ２２においてスイッチをＡｍｐ側に設定する。次いで、ステップＳ２３において、チューナに周波数を設定（選局）する。ステップＳ２４において同期がとれたか否かを図１の復調回路１９において判定し、同期がとれていなければ（Ｎｏ）ステップＳ２９に進む。同期がとれていれば（Ｙｅｓ）ステップＳ２５に進み受信状態情報を取得して記憶手段３３へ記憶し、ステップＳ２６において正常受信が可能か否かをＣＮ、ＢＥＲの値に基づいて判定する。正常に受信できると判定された場合には（Ｙｅｓ）、ステップＳ２７に進み、Ａｍｐ側カウンタに“１”を加算する。Ｎｏの場合には、ステップＳ２８に進み、復調回路１９から出力されるＡＧＣを検出する。ＡＧＣは入力信号レベルを一定にするため、ＡＧＣ制御量すなわち増幅率の情報を取得することができる。例えば、ＡＧＣ制御量が０から２５５の範囲で動作し、数値が大きくなるほど増幅率が高い、すなわち入力信号電力が弱いとされる場合、ＡＧＣが３５を超えていれば強電力でない（Ｎｏ）としてステップＳ３３に進む。例えばＡＧＣが３５以下であれば（Ｙｅｓ）強電界と判断され、ステップＳ２９においてＡＴＴ側に設定し、ステップＳ３０において受信状態情報を取得して記憶手段３３へ記憶し、ステップＳ３１において正常受信が可能か否かをＣＮ、ＢＥＲに基づいて判定する。正常受信が可能と判断されると（Ｙｅｓ）、ステップＳ３２に進み、ＡＴＴ側に“１”加算を行う。正常受信が可能でないと判定されると（Ｎｏ）、ステップＳ３３に進む。
【００２５】
ステップＳ３３において、全てのチャンネルについてサーチが終了したか否かを判定し、Ｎｏであれば、次のチャンネルに関してステップＳ２２から処理を継続する。ステップＳ３３においてサーチが終了していると判定されると（Ｙｅｓ）、ステップＳ３４に進み、ＡＴＴ側受信可能カウンタ数とＡｍｐ側受信可能カウンタ数を比較する。同数であった場合（Ｙｅｓ）、ステップＳ３５に進み、記憶した受信状態情報から、受信可能な各チャンネルでＡｍｐ側とＡＴＴ側のC/N値を比較し、Ａｍｐ側とＡＴＴ側それぞれでC/Nが優位となるチャンネル数をカウントする「C/N優位カウンタ」をカウントアップする。ステッ
プＳ３６にて、C/N優位カウンタ値の比較を行い、ＡＴＴ側C/N優位カウンタ数＞Ａｍｐ側C/N優位カウンタ数であれば（Ｙｅｓ）ステップＳ３７に進みＡＴＴ側にスイッチ９ａ・
９ｂを固定し、処理を終了する。一方、ＡＴＴ側C/N優位カウンタ数＞Ａｍｐ側C/N優位カウンタ数でなければ（Ｎｏ）ステップＳ３８に進み、Ａｍｐ側にスイッチ９ａ・９ｂを固定し、処理を終了する。同数の場合には、Ａｍｐ側に固定する。ステップＳ３４にて、受信可能カウンタがＡｍｐ側とＡＴＴ側で同数でなかった場合には（Ｎｏ）、ステップＳ３９へ進み、ＡＴＴカウンタ数＞Ａｍｐカウンタ数であれば（Ｙｅｓ）ステップＳ４０に進みＡＴＴ側にスイッチ９ａ・９ｂを固定し、処理を終了する。ＡＴＴカウンタ数＞Ａｍｐカウンタ数でなければ（Ｎｏ）ステップＳ４１に進み、Ａｍｐ側にスイッチ９ａ・９ｂを固定し、処理を終了する。
【００２６】
以上に説明したように、図３に示す処理では、アンプ側で「正常に受信可能でない」と判断し、かつＡＧＣの値より「強電力ではない」と判断した場合のみ、アッテネータ側に切替えずに次のチャンネルに進むようにする。受信劣化していて、かつ、強電力でない場合には、アッテネータ側に切替えても受信できる可能性がないためである。
【００２７】
（３）図４は、Ａｍｐ側で全チャンネルサーチをした後に、「電力が強いが正常に受信できない信号」を少なくとも１チャンネル以上検出した場合に、ＡＴＴ側で再度サーチを行う方法の例を示すフローチャート図である。サーチを開始すると、ステップＳ４２においてＡｍｐ側にスイッチを設定する。ステップＳ４３において、再サーチフラグを用い、この再サーチフラグを初期化しＦＡＬＳＥに設定する。次いで、ステップＳ４４においてチューナに周波数設定（選局）を行い、ステップＳ４５において、同期が取れたか否かを判定する。Ｙｅｓの場合には、ステップＳ４６に進み、受信情報を取得し、ステップＳ４７で正常に受信可能か否かを判定し、Ｙｅｓの場合には、ステップＳ４８においてＡｍｐ側カウンタに“１”加算し、ステップＳ４９に進む。Ｎｏの場合には、ステップＳ５０に進み、復調回路１９から出力されるＡＧＣを検出し、例えば、ＡＧＣが３５を超えていれば強電力でない（Ｎｏ）としてステップＳ４９に進む。例えばＡＧＣが３５以下であれば（Ｙｅｓ）、この信号は強電力であり、かつ受信状態が劣化していると判断し、ステップＳ５１において再サーチフラグをＴＲＵＥに設定した後、ステップＳ４９に進む。
【００２８】
ステップＳ４９においては、全てのチャンネルでサーチが終了したか否かを判定し、Ｎｏの場合にはステップＳ４４に戻り他のチャンネルについて同様の処理を行う。Ｙｅｓの場合には、ステップＳ５２に進み、再サーチフラグがＴＲＵＥであるか否かを判定する。Ｎｏの場合には、「強電力であり、かつ、受信状態が劣化している」信号は、この受信環境では１チャンネルも存在しないと判断されるため、ステップＳ５３においてＡｍｐ側にスイッチを固定し処理を終了する（ステップＳ５４）。Ｙｅｓの場合には、ステップＳ５５に進み、ＡＴＴ側にスイッチを設定し、ステップＳ５６において選局を行い、ステップＳ５７において同期がとれたか否かを判定する。同期がとれた場合には（Ｙｅｓ）、ステップＳ５８に進み、受信状態情報を取得し記憶手段３３に記憶する。同期がとれない場合には（Ｎｏ）ステップＳ６１に進む。ステップＳ５８において受信状態情報を取得した後に、ステップＳ５９において、正常に受信が可能か否かを判定する。Ｎｏの場合には、ステップＳ６１に進む。Ｙｅｓの場合には、ステップＳ６０に進み、ＡＴＴ側カウンタに“１”を加算し、ステップＳ６１に進む。
【００２９】
ステップＳ６１において、ＡＴＴ側での全チャンネルサーチが終了したか否かを判定し、Ｎｏの場合にはステップＳ５６に戻り他のチャンネルについて同様の処理を行う。Ｙｅｓの場合には、ステップＳ６２に進み、ＡＴＴ側受信可能カウンタとＡｍｐ側受信可能カウンタを比較する。ＡＴＴカウンタ数＝Ａｍｐカウンタ数であった場合、ステップＳ６３では、記憶した受信状態情報から、受信可能な各チャンネルでＡｍｐ側とＡＴＴ側のＣ／Ｎ値を比較し、Ａｍｐ側とＡＴＴ側それぞれでＣ／Ｎが優位となるチャンネル数をカウントする「Ｃ／Ｎ優位カウンタ」をカウントアップする。ステップＳ６４にて、Ｃ／Ｎ優位カウンタ値の比較を行い、カウンタ値の大きい方へ固定する。同数の場合には、Ａｍｐ側に固定する。
【００３０】
図４のように、装置において１つの「再サーチフラグ」を設けておき、最初はアンプ側でチャンネルサーチを行い、各チャンネルで受信状態情報（ＡＧＣ、ＢＥＲ、Ｃ／Ｎ）を取得し、正常に受信可能であればアンプ側カウンタをカウントアップする。このとき、「正常に受信可能でない」と判断し、かつ、ＡＧＣの値より「強電力である」と判断した場合は、「再サーチフラグ」を立てる。サーチ完了後、「再サーチフラグ」が立っていれば、アンプ側に切替えて同様の処理を行う。すなわち、アンプ側でチャンネルサーチした後、１チャンネルでも「正常に受信できない」かつ「強電力である」チャンネルが存在する場合にのみ、アッテネータ側に切替えてサーチを行うため、処理量が少なくて済み場合が多くなるという利点がある。その後、アンプ側、アッテネータ側それぞれで受信可能なチャンネル数を比較し、同数であった場合には、Ｃ／Ｎによる比較を行うことで、より受信状態がよい方へ設定することが可能となる。
【００３１】
尚、図１Ｂはダブル（複数）チューナ方式の放送受信装置の一構成例を示す図である。図１Ａと異なり、図１Ｂに示す構成では、チューナ部８の他に第２のチューナ部８ａが設けられている。上記において、図１Ａを参照し、初期サーチ後にアンプかアッテネータのいずれかが適切な環境なのかを判断し、一方に固定する方式について説明したが、この方式は、実際には、２つのチューナを備えたダブルチューナ構成で、スプリッタ部（スプリッタの筐体内）にアンプとアッテネータとを設けた場合により適している。
【００３２】
図１Ｂでは、２つのチューナを備えたダブルチューナ構成とした場合において、スプリッタ部（スプリッタの筐体内）にアンプＡｍｐとアッテネータＡＴＴを設け、ＡＴＴ５とＡｍｐ７との後段には、スプリッタ６ａを設け、入力信号がチューナ８・８ａにそれぞれ入力されるようになっている。この場合、アンプＡｍｐ/アッテネータＡＴＴの設定が両
方のチューナに影響するため、受信チャンネル毎にアンプＡｍｐ/アッテネータＡＴＴ切
替えを行うよりも、いずれか一方に固定した方が良い。
【００３３】
例えば１３ｃｈはアンプＡｍｐ側でないと正常に受信できず、１４ｃｈはアッテネータＡＴＴ側でないと正常に受信できない環境だった場合に、チューナ８（通常視聴用）は１３ｃｈを受信し、チューナ８ａ（録画出力用）は１４ｃｈを受信したときに、チューナ８の選局に合わせてアンプＡｍｐ側に切替えてしまうと、チューナ８ａの１４ｃｈが受信できなくなり、正常に録画ができないといった問題がある。そこで、上記（１）から（３）に示すように、各受信環境において、アンプ/アッテネータのいずれか好ましい方に固定
する方が好ましい。
【００３４】
図５は、本実施の形態による受信装置における受信可能となる電力範囲を示す図である。横軸は受信電力（ｄＢｍ）である。平均受信レベルをＲ１（例えば、−６０〜−３０ｄＢｍ）とすると、上記従来技術では、例えばＲ２（−８０〜０ｄＢｍ）である。これに対して、本実施の形態によれば、Ｒ２の範囲に加えて、ＡＴＴ設定時にはＲ６、Ａｍｐ設定時にはＲ５の電力範囲も受信可能となり、結局Ｒ３、Ｒ４に示すように、−９０〜＋１０ｄＢｍ程度までの広い範囲をカバーすることができる。
【００３５】
以上に説明したように、例えば送信タワー付近で強電力の信号を受信する地域や、ブースターにより過度に信号を増幅している環境でも良好に放送を受信できるようになり、逆に弱電力の信号しか受信できない場所でも、良好に放送を受信できるようになる。
【産業上の利用可能性】
【００３６】
本発明は、デジタル放送受信装置に利用可能である。
【符号の説明】
【００３７】
１…アンテナ、５…ＡＴＴ、７…Ａｍｐ、８…チューナ、９…スイッチ、３１…受信状態情報検出手段、３２…制御手段、３３…記憶手段。
【図１Ａ】
2010232985.tif 000003
【図１Ｂ】
2010232985.tif 000004
【図２】
2010232985.tif 000005
【図３】
2010232985.tif 000006
【図４】
2010232985.tif 000007
【図５】
2010232985.tif 000008
【図６】
2010232985.tif 000009